(57)【要約】【課題】簡素な構造で優れた前後漏れ防止効果を発揮する吸収性物品を提供する。【解決手段】上記課題は、パッドタイプ使い捨ておむつ２００の前後両側において、倒伏部２４ｆと自由部２４ｂとの境界Ｘを幅方向に横切る部位が、ギャザー弾性部材２４Ｇの収縮に伴い前後方向中央側に引っ張られ、それによって、境界Ｘ位置の前後方向中央側に隣接する第１の部分Ｐ１が表側かつ前後方向中央側に折り返されてポケット５０が形成されるとともに、境界Ｘ位置よりも前後方向端部側に位置する第２の部分Ｐ２は第１の部分Ｐ１から表側かつ前後方向端部側に折り返される構造により解決される。【選択図】図７
2015024070.tif 000002
【特許請求の範囲】
【請求項１】
吸収体と、この吸収体の表側及び裏側をそれぞれ覆う液透過性トップシート及び液不透過性シートと、表面の幅方向両側にそれぞれ前後方向に沿って延在された立体ギャザーとを備えており、
前記立体ギャザーは、吸収性物品の幅方向端部に固定された付根部分と、この付根部分から延出する延出部分と、この延出部分のうち前後端部にそれぞれ設けられ、倒伏状態で本体部の表面に対して固定された倒伏部と、前記延出部分のうち前後の前記倒伏部間に位置する非固定の自由部と、前記自由部の少なくとも先端部に、前後方向に伸張した状態で固定されたギャザー弾性部材とを有するものであり、
前後少なくとも一方側において、前記倒伏部と前記自由部との境界を幅方向に横切る部位が、前記ギャザー弾性部材の収縮に伴い前後方向中央側に引っ張られ、それによって、前記境界の前後方向中央側に隣接する第１の部分が表側かつ前後方向中央側に折り返されてポケットが形成されるとともに、前記境界位置よりも前後方向端部側に位置する第２の部分は前記第１の部分から表側かつ前後方向端部側に折り返されるものである、
ことを特徴とする吸収性物品。
【請求項２】
前記第１の部分が折り返される位置に、谷折りを容易にするための第１の易折り曲げ部が設けられている、請求項１記載の吸収性物品。
【請求項３】
前記第２の部分が折り返される位置に、山折りを容易にするための第２の易折り曲げ部が設けられている、請求項１又は２記載の吸収性物品。
【請求項４】
前記吸収体は、前記第１の部分、前記第２の部分、前記第１の部分よりも前後方向中央側であってかつ前記第１の部分が折り返された状態で前記第１の部分と重なる第３の部分、及びこの第３の部分よりも前後方向中央側の第４の部分に存在しており、前記第１の部分、第２の部分及び第３の部分の少なくとも一つにおける吸収体の厚みが、前記第４の部分の吸収体の厚みよりも薄い、請求項１〜３のいずれか１項に記載の吸収性物品。
【請求項５】
パッドタイプの吸収性物品である、請求項１〜４のいずれか１項に記載の吸収性物品。
【発明の詳細な説明】
【技術分野】
【０００１】
本発明は、前後漏れ防止用のポケットを備える吸収性物品に関するものである。
【背景技術】
【０００２】
使い捨ておむつや生理用ナプキン等の吸収性物品においては、脚周りに対するフィット性を高めるために、表面の幅方向両側に、身体側に突出する立体ギャザーがそれぞれ前後方向に沿って延在しているものが一般的となっている（例えば特許文献１〜４参照）。このような立体ギャザーを備えることによって、両立体ギャザー間に排泄物が留まり、特に着用者の脚周り部からの排泄物の漏れ（いわゆる横漏れ）が防止される。
【０００３】
一般的な立体ギャザーは、吸収性物品の幅方向端部に固定された付根部分と、この付根部分から延出する延出部分と、この延出部分のうち前後端部にそれぞれ設けられ、倒伏状態で本体部の表面に対して固定された倒伏部と、前記延出部分のうち前後の前記倒伏部間に位置する非固定の自由部と、前記自由部の少なくとも先端部に、前後方向に伸張した状態で固定されたギャザー弾性部材とを有するものであり、ギャザー弾性部材の収縮作用により自由部が吸収性物品の表面から起立するようになっている。
【０００４】
一方、吸収性物品の前後方向の端部からの漏れ（いわゆる前後漏れ、腹漏れ、背漏れ）を防止するために、前後端部にも立体ギャザーを設けたり（例えば特許文献２、３参照）、表面又は吸収体に窪み（ポケットともいわれている）を設けたりすることが提案されている（例えば特許文献４参照）。
【先行技術文献】
【特許文献】
【０００５】
【特許文献１】特開２００２−３４５８８４号公報
【特許文献２】特開２００５−３３４５３７号公報
【特許文献３】特開２００９−２７３８３０号公報
【特許文献４】特開２０１０−２１３９１０号公報
【発明の概要】
【発明が解決しようとする課題】
【０００６】
しかしながら、前後端部にも立体ギャザーを設けることは漏れ防止の観点からは有効であるが、構造が複雑となり、部材や工程の増加により製造コストが嵩むという問題点がある。
【０００７】
そこで、本発明の主たる課題は、簡素な構造で優れた前後漏れ防止効果を発揮する吸収性物品を提供することにある。
【課題を解決するための手段】
【０００８】
上記課題を解決した本発明は次記のとおりである。
＜請求項１記載の発明＞
吸収体と、この吸収体の表側及び裏側をそれぞれ覆う液透過性トップシート及び液不透過性シートと、表面の幅方向両側にそれぞれ前後方向に沿って延在された立体ギャザーとを備えており、
前記立体ギャザーは、吸収性物品の幅方向端部に固定された付根部分と、この付根部分から延出する延出部分と、この延出部分のうち前後端部にそれぞれ設けられ、倒伏状態で本体部の表面に対して固定された倒伏部と、前記延出部分のうち前後の前記倒伏部間に位置する非固定の自由部と、前記自由部の少なくとも先端部に、前後方向に伸張した状態で固定されたギャザー弾性部材とを有するものであり、
前後少なくとも一方側において、前記倒伏部と前記自由部との境界を幅方向に横切る部位が、前記ギャザー弾性部材の収縮に伴い前後方向中央側に引っ張られ、それによって、前記境界の前後方向中央側に隣接する第１の部分が表側かつ前後方向中央側に折り返されてポケットが形成されるとともに、前記境界位置よりも前後方向端部側に位置する第２の部分は前記第１の部分から表側かつ前後方向端部側に折り返されるものである、
ことを特徴とする吸収性物品。
【０００９】
（作用効果）
本発明は、吸収性物品の前後少なくとも一方側において、立体ギャザーの収縮力を利用して縦断面Ｚ字状の折り畳みによるポケットを形成・維持するところに特徴を有するものである。したがって、本発明では別途に前後漏れ防止専用の部材を設ける必要が無く、極めて簡素な構造である。しかも、排泄物（尿、便）がおむつ表面上を前後方向に移動したとしても、ポケット内に入りこむため、優れた前後漏れ防止効果が発揮される。
【００１０】
＜請求項２記載の発明＞
前記第１の部分が折り返される位置に、谷折りを容易にするための第１の易折り曲げ部が設けられている、請求項１記載の吸収性物品。
【００１１】
（作用効果）
このような易折り曲げ部を設けると、第１の部分が所定位置で確実かつ容易に折り返されるため好ましい。
【００１２】
＜請求項３記載の発明＞
前記第２の部分が折り返される位置に、山折りを容易にするための第２の易折り曲げ部が設けられている、請求項１又は２記載の吸収性物品。
【００１３】
（作用効果）
このような易折り曲げ部を設けると、第２の部分が所定位置で確実かつ容易に折り返されるため好ましい。
【００１４】
＜請求項４記載の発明＞
前記吸収体は、前記第１の部分、前記第２の部分、前記第１の部分よりも前後方向中央側であってかつ前記第１の部分が折り返された状態で前記第１の部分と重なる第３の部分、及びこの第３の部分よりも前後方向中央側の第４の部分に存在しており、前記第１の部分、第２の部分及び第３の部分の少なくとも一つにおける吸収体の厚みが、前記第４の部分の吸収体の厚みよりも薄い、請求項１〜３のいずれか１項に記載の吸収性物品。
【００１５】
（作用効果）
本発明では、ポケット内においても吸収保持機能を有することが望ましいが、前述のとおり、本発明のポケットは縦断面Ｚ字状の折り畳みにより形成・維持されるものであるため、折り返される部分及びそれ以外の部分の吸収体の厚みが一様であると、ポケットの部分が厚くなり過ぎ、装着時に違和感をもたらす、あるいは製品の梱包密度が低下する等のおそれがある。よって、上述のように、ポケット形成に際して重なる部分の吸収体の厚みを相対的に薄くすることが望ましい。
【００１６】
＜請求項５記載の発明＞
パッドタイプの吸収性物品である、請求項１〜４のいずれか１項に記載の吸収性物品。
【００１７】
（作用効果）
一般にパンツタイプ使い捨ておむつやテープタイプ使い捨ておむつのような吸収性物品は腰周りのフィット性に優れるが、パッドタイプの吸収性物品はそれ自体に身体への固定機能を有していないため前後漏れが発生し易い。よって、本発明はパッドタイプの吸収性物品に好適である。また、パッドタイプの吸収性物品は下着や使い捨ておむつ等（アウター）の内側に入れて使用されるため、本発明のポケットの形状が崩れ難いという利点もある。
【発明の効果】
【００１８】
以上のとおり本発明によれば、簡素な構造で優れた前後漏れ防止効果を発揮するようになる、等の利点がもたらされる。
【図面の簡単な説明】
【００１９】
【図１】パッドタイプ使い捨ておむつの展開状態の内面側を示す平面図である。
【図２】パッドタイプ使い捨ておむつの展開状態の要部のみを示す平面図である。
【図３】図１のＹ−Ｙ断面図である。
【図４】図１のＺ−Ｚ断面図である。
【図５】図１のＶ−Ｖ断面図である。
【図６】パッドタイプ使い捨ておむつの（ａ）展開状態、（ｂ）自然状態を概略的に示す縦断面図である。
【図７】装着状態を概略的に示す斜視図である。
【図８】他の形態を示す、図１のＶ−Ｖ断面図である。
【図９】他の形態を示す、図１のＶ−Ｖ断面図である。
【図１０】他の形態を示す、図１のＶ−Ｖ断面図である。
【発明を実施するための形態】
【００２０】
以下、本発明の一実施形態について添付図面を参照しながら詳説する。なお、本発明の用語のうち「股間部」とは使用時に身体の股間と対応させる部分を意味し、製品によって、図示形態のように物品の前後方向中央若しくはその近傍から前側の所定部位までの範囲であったり、物品の前後方向中央の所定範囲であったりするものである。物品の前後方向中間あるいは吸収体の前後方向中間に幅の狭い括れ部分を有する場合は、いずれか一方又は両方の括れ部分の最小幅部位を前後方向中央とする所定の前後方向範囲を意味する。また、「前側部分（腹側部分）」は股間部よりも前側の部分を意味し、「後側部分（背側部分）」は股間部よりも後側の部分を意味する。
【００２１】
図１〜図６は、本発明に係るパッドタイプ使い捨ておむつ２００を示している。このパッドタイプ使い捨ておむつ２００は、股間部Ｃ２と、その前後両側に延在する前側部分Ｆ２及び後側部分Ｂ２とを有するものである。各部の寸法は適宜定めることができ、例えば、物品全長（前後方向長さ）Ｌは３５０〜７００ｍｍ程度、全幅Ｗ１は１３０〜４００ｍｍ程度（ただし、おむつの吸収面の幅より広い）とすることができ、この場合における股間部Ｃ２の前後方向長さは１０〜１５０ｍｍ程度、前側部分Ｆ２の前後方向長さは５０〜３５０ｍｍ程度、及び後側部分Ｂ２の前後方向長さは５０〜３５０ｍｍ程度とすることができる。
【００２２】
パッドタイプ使い捨ておむつ２００は、外面に外装シート３２が積層された不透液性液不透過性シート２１の内面と、透液性トップシート２２との間に、吸収体２３が介在された基本構造を有している。
【００２３】
吸収体２３の裏面側には、不透液性液不透過性シート２１が吸収体２３の周縁より若干食み出すように設けられている。不透液性液不透過性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２４】
また、不透液性液不透過性シート２１の外面は、不織布からなる外装シート３２により覆われており、この外装シート３２は、所定の食み出し幅をもって液不透過性シート２１の周縁より外側に食み出している。外装シート３２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２５】
吸収体２３の表面側は、透液性トップシート２２により覆われている。図示形態ではトップシート２２の側縁から吸収体２３が一部食み出しているが、吸収体２３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２６】
トップシート２２と吸収体２３との間には、中間シート２５を介在させるのが望ましい。この中間シート２５は、吸収体２３により吸収した尿の逆戻りを防止するために設けられるものであり、保水性が低く、且つ透液性の高い素材、例えば各種の不織布やメッシュフィルム等を用いるのが望ましい。トップシート２２の前端を０％としトップシート２２の後端を１００％としたとき、中間シート２５の前端は０〜１１％の範囲に位置しているのが好ましく、中間シート２５の後端は９２〜１００％の範囲に位置しているのが好ましい。また、中間シート２５の幅Ｗ４は吸収体２３の最小幅Ｗ３の５０〜９０％程度であるのが好ましい。
【００２７】
パッドタイプ使い捨ておむつ２００の前後方向両端部では、外装シート３２、液不透過性シート２１および透液性トップシート２２が吸収体２３の前後端よりも前後両側にそれぞれ延在されて貼り合わされ、吸収体２３の存在しないエンドフラップ部ＥＦが形成されている。パッドタイプ使い捨ておむつ２００の幅方向両側では、外装シート３２及び液不透過性シート２１が吸収体２３の側縁よりも外側にそれぞれ延在され、この延在部からトップシート２２の側部までの部分の内面には立体ギャザー２４を構成するギャザーシート２４ｓの幅方向外側の部分２４ｘが前後方向全体にわたり貼り付けられ（この部分が立体ギャザー２４の付根部分となる）、吸収体２３の存在しないサイドフラップ部ＳＦを構成している。これら貼り付け部分はホットメルト接着剤、ヒートシール、超音波シールにより形成でき、図ではこれ以外の部分を含め、部材相互の固定、接合部分及びその手段は点模様で示されている。外装シート３２を設けない場合、外装シート３２に代えて不透液性液不透過性シート２１をサイドフラップ部ＳＦまで延在させ、サイドフラップ部ＳＦの外面側を形成することができる。
【００２８】
ギャザーシート２４ｓの素材としては、プラスチックシートやメルトブローン不織布を使用することもできるが、肌への感触性の点で、不織布にシリコンなどにより撥水処理をしたものが好適に使用される。
【００２９】
ギャザーシート２４ｓの幅方向中央側の部分２４ｃはトップシート２２上にまで延在しており、その幅方向中央側の端部には、細長状のギャザー弾性部材２４Ｇが前後方向に沿って伸張状態でホットメルト接着剤等により固定されている。このギャザー弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３０】
また、両ギャザーシート２４ｓは、幅方向外側の部分が付根部分２４ｘとして前後方向全体にわたり液不透過性シート２１に貼り合わされて固定されるとともに、この付根部分２４ｘから幅方向中央側に延出する延出部分２４ｃとされ、この延出部分２４ｃのうち、前後方向の両端部が倒伏状態で物品内面（図示形態ではトップシート２２表面）に貼り合わされて固定されることにより倒伏部２４ｆが形成され、これら倒伏部２４ｆ間の部分が物品内面（図示形態ではトップシート２２表面）に非固定とされることにより自由部２４ｂが形成されている。この自由部２４ｂは、図４（ｂ）に示されるように、物品内面（図示形態ではトップシート２２表面）に対して起立して漏れ防止壁となる部分であり、その起立基端２４ｂはギャザーシート２４ｓにおける付根部分２４ｘと延出部分２４ｃとの境に位置する。
【００３１】
図示しないが、ギャザーシート２４ｓの延出部分２４ｃにおける前後方向両端部を、幅方向外側の部分から幅方向内側に延在する基端側部分とこの基端側部分の幅方向中央側の端縁から身体側に折り返され幅方向外側に延在する先端側部分とを有する二つ折り状態で固定し、その間の部分を非固定の自由部分とすることもできる。
【００３２】
吸収体２３としては、パルプ繊維の積繊体、セルロースアセテート等のフィラメントの集合体、あるいは不織布を基本とし、必要に応じて粒子状等の高吸収性ポリマーを混合、固着等してなるものを用いることができる。高吸収性ポリマー粒子を混合する場合等、必要に応じて、吸収体２３はクレープ紙等の包装シート２６（断面図中には図示せず）により包むことができる。また、吸収体２３の形状は、相対的に前側の部分が後側の部分よりも幅狭な帯状、あるいは長方形状、台形状等、適宜の形状とすることができる。
【００３３】
吸収体２３は図示形態のような一層構造とする他、複数の層の積層構造とすることもできる。
【００３４】
吸収体２３における繊維目付け及び高吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００３５】
吸収体２３Ｂは、股間部Ｃ２を含む前後方向中間の所定部分が幅の狭い括れ部分２３ｎとして形成されている。この括れ部分２３ｎの最小幅Ｗ３は、括れ部分２３ｎの前後に位置する非括れ部分の幅Ｗ２の５０〜６５％程度であるのが好ましい。また、物品前端を０％とし物品後端を１００％としたとき、括れ部分２３ｎの前端は１０〜２５％の範囲に位置しているのが好ましく、括れ部分２３ｎの後端は４０〜６５％の範囲に位置しているのが好ましく、括れ部分２３ｎの最小幅Ｗ３となる部位（最小幅部位）は２５〜３０％の範囲に位置しているのが好ましい。
【００３６】
特徴的には、図６（ａ）の展開状態及び図６（ｂ）及び図７のポケット５０形成状態の比較からも分かるように、パッドタイプ使い捨ておむつ２００の前後両側において、倒伏部２４ｆと自由部２４ｂとの境界Ｘを幅方向に横切る部位が、ギャザー弾性部材２４Ｇの収縮に伴い前後方向中央側に引っ張られ、それによって、境界Ｘ位置の前後方向中央側に隣接する第１の部分Ｐ１が表側かつ前後方向中央側に折り返されてポケット５０が形成されるとともに、境界Ｘ位置よりも前後方向端部側に位置する第２の部分Ｐ２は第１の部分Ｐ１から表側かつ前後方向端部側に折り返される構造となっている。つまり、立体ギャザー２４の収縮力を利用してパッドタイプ使い捨ておむつ２００の前後端部が縦断面Ｚ字状に折り畳まれ、それによって第１の部分Ｐ１とこれに重なる第３の部分Ｐ３とによりポケット５０が形成・維持され、第２の部分Ｐ２は表面がトップシート２２のままとなるのである。したがって、本発明では別途に前後漏れ防止専用の部材を設ける必要が無く、極めて簡素な構造である。しかも、排泄物（尿、便）がおむつ表面上を前後方向に移動したとしても、ポケット５０内に入りこむため、優れた前後漏れ防止効果が発揮される。
【００３７】
立体ギャザー２４の収縮力を利用してポケット５０を形成し、維持するためには、立体ギャザー２４のギャザー弾性部材は通常よりも高い伸長率（収縮量）で固定する必要がある。具体的にポケット５０の深さを２〜１０ｃｍ程度確保する場合、ギャザー弾性部材は１５０〜２５０％の伸長率（自然長を１００％としたときの値）で固定することが望ましい。もちろん、ギャザー弾性部材の伸長率はこれに限られず、ポケット５０の深さや、製品長や、物品の硬さ等に応じて適宜定めることができる。
【００３８】
第１の部分Ｐ１が所定位置で確実かつ容易に折り返されるように、第１の部分Ｐ１が折り返される位置に、谷折りを容易にするための第１の易折り曲げ部４１が設けられていると好ましい。これとともに又はこれに代えて、第２の部分Ｐ２が所定位置で確実かつ容易に折り返されるように、第２の部分Ｐ２が折り返される位置に、山折りを容易にするための第２の易折り曲げ部４２が設けられているのも好ましい。
【００３９】
これら第１の易折り曲げ部４１及び第２の易折り曲げ部４２は、折り曲げを容易にするものであれば特に限定されず、図５、図８、図９に示すようにエンボス加工による凹部とする他、図１０に示すような吸収体２３に形成したスリット（抜き）としたり、予め折り曲げて付けた折り目（図示略）としたりすることができる。
【００４０】
第１の易折り曲げ部４１及び第２の易折り曲げ部４２をエンボス加工により形成する場合、谷折りを容易にするためには表面側が窪むように、また山折りとするためには裏面側が窪むように凹部を形成する。これらの凹部を形成する部材は特に限定されず、例えば図５及び図８に示すように、表面（図示形態ではトップシート２２）上、及び外装シート３２裏から吸収体２３まで窪むようにエンボス加工を行う他、図９に示すように吸収体２３を包装シート２６で包んだ状態でエンボス加工しても良い。
【００４１】
他方、漏れ防止の観点からはポケット５０内においても吸収保持機能を有することが望ましいが、前述のとおり、本発明のポケット５０は縦断面Ｚ字状の折り畳みにより形成・維持されるものであるため、折り返される部分及びそれ以外の部分の吸収体２３の厚みが一様であると、ポケット５０の部分が厚くなり過ぎ、装着時に違和感をもたらす、あるいは製品の梱包密度が低下する等のおそれがある。よって、図８に示すように、ポケット５０形成に際して重なる部分の吸収体２３の厚みを相対的に薄くすることが望ましい。すなわち、第１の部分Ｐ１、第２の部分Ｐ２、第１の部分Ｐ１よりも前後方向中央側であってかつ第１の部分Ｐ１が折り返された状態で第１の部分Ｐ１と重なる第３の部分Ｐ３、及びこの第３の部分Ｐ３よりも前後方向中央側の第４の部分Ｐ４のうち、第１の部分Ｐ１、第２の部分Ｐ２及び第３の部分Ｐ３の少なくとも一つにおける吸収体２３の厚みを、第４の部分Ｐ４の吸収体２３の厚みよりも薄くする。この場合、吸収体２３の厚みを薄くする部分にもよるが、第１〜第３の部分Ｐ３における吸収体２３の厚みを全て薄くする場合は、第１〜第３の部分Ｐ３の厚みの合計が第４の部分Ｐ４以下となるようにするのが好ましい。
【００４２】
上記実施形態では、前後両側にポケット５０を形成しているが、いずれか一方のみ折り返してポケットを形成する形態とすることもできる。
【産業上の利用可能性】
【００４３】
本発明は、パッドタイプ使い捨ておむつ、パンツタイプ若しくはテープタイプ使い捨ておむつ、生理用ナプキン等、吸収性物品全般に利用できるものである。特に、一般にパンツタイプ使い捨ておむつやテープタイプ使い捨ておむつのような吸収性物品は腰周りのフィット性に優れるが、パッドタイプの吸収性物品はそれ自体に身体への固定機能を有していないため前後漏れが発生し易い。よって、本発明はパッドタイプの吸収性物品に特に好適である。なお、パッドタイプの吸収性物品は下着や使い捨ておむつ等（アウター）の内側に入れて使用されるため、本発明のポケットの形状が崩れ難いという利点もある。
【符号の説明】
【００４４】
２１…液不透過性シート、２２…トップシート、２３…吸収体、２４…立体ギャザー、２４ｂ…自由部、２４ｃ…延出部分、２４ｆ…倒伏部、２４ｘ…付根部分、２４Ｇ…ギャザー弾性部材、２５…中間シート、２６…包装シート、３２…外装シート、４１…第１の易折り曲げ部、４２…第２の易折り曲げ部、５０…ポケット、２００…パッドタイプ使い捨ておむつ、Ｐ１…第１の部分、Ｐ２…第２の部分、Ｐ３…第３の部分、Ｐ４…第４の部分、Ｘ…境界。
【図１】
2015024070.tif 000003
【図２】
2015024070.tif 000004
【図３】
2015024070.tif 000005
【図４】
2015024070.tif 000006
【図５】
2015024070.tif 000007
【図６】
2015024070.tif 000008
【図７】
2015024070.tif 000009
【図８】
2015024070.tif 000010
【図９】
2015024070.tif 000011
【図１０】
2015024070.tif 000012